【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
前記基地局のための第１のサブフレーム構成と、１つまたは複数の他の基地局のための第２のサブフレーム構成とを決定することと、ここにおいて、前記第１のサブフレーム構成と前記第２のサブフレーム構成とがアップリンク部分とダウンリンク部分との異なる比を有する、
前記第２のサブフレーム構成のダウンリンク部分中で送信される基準信号に基づいて、前記１つまたは複数の他の基地局によって引き起こされる干渉を測定することと
を備える、方法。
【請求項２】
前記第１および第２のサブフレーム構成は、異なる基地局が、他の基地局によって引き起こされる干渉を測定することを可能にするために周期的に変更される、請求項１に記載の方法。
【請求項３】
前記第１および第２のサブフレーム構成を前記１つまたは複数の他の基地局と交換することをさらに備える、請求項１に記載の方法。
【請求項４】
基準信号測定値を前記１つまたは複数の他の基地局と交換することをさらに備える、請求項１に記載の方法。
【請求項５】
前記第１および第２のサブフレーム構成がスペシャルサブフレーム（ＳＳＦ）構成を備える、請求項１に記載の方法。
【請求項６】
ユーザ機器（ＵＥ）によるワイヤレス通信のための方法であって、
前記ＵＥのための第１のスペシャルサブフレーム（ＳＳＦ）構成と、１つまたは複数の他のＵＥのための第２のＳＳＦ構成とを決定することと、ここにおいて、前記第１のＳＳＦ構成と前記第２のＳＳＦ構成とが異なる長さのアップリンク部分を有する、
前記第２のＳＳＦ構成のアップリンク部分中で送信される基準信号に基づいて、前記１つまたは複数の他のＵＥによって引き起こされる干渉を測定することと
を備える、方法。
【請求項７】
前記第１および第２のＳＳＦ構成は、異なるＵＥが、他のＵＥによって引き起こされる干渉を測定することを可能にするために周期的に変更される、請求項６に記載の方法。
【請求項８】
基地局から前記第１および第２のＳＳＦ構成のシグナリングを受信することをさらに備える、請求項６に記載の方法。
【請求項９】
１つまたは複数の他の基地局に測定値を報告することをさらに備える、請求項６に記載の方法。
【請求項１０】
基地局（ＢＳ）によるワイヤレス通信のための装置であって、
前記基地局のための第１のサブフレーム構成と、１つまたは複数の他の基地局のための第２のサブフレーム構成とを決定するための手段と、ここにおいて、前記第１のサブフレーム構成と前記第２のサブフレーム構成とがアップリンク部分とダウンリンク部分との異なる比を有する、
前記第２のサブフレーム構成のダウンリンク部分中で送信される基準信号に基づいて、前記１つまたは複数の他の基地局によって引き起こされる干渉を測定するための手段と
を備える、装置。
【請求項１１】
前記第１および第２のサブフレーム構成は、異なる基地局が、他の基地局によって引き起こされる干渉を測定することを可能にするために周期的に変更される、請求項１０に記載の装置。
【請求項１２】
前記第１および第２のサブフレーム構成を前記１つまたは複数の他の基地局と交換するための手段をさらに備える、請求項１０に記載の装置。
【請求項１３】
ユーザ機器（ＵＥ）によるワイヤレス通信のための装置であって、
前記ＵＥのための第１のスペシャルサブフレーム（ＳＳＦ）構成と、１つまたは複数の他のＵＥのための第２のＳＳＦ構成とを決定するための手段と、ここにおいて、前記第１のＳＳＦ構成と前記第２のＳＳＦ構成とが異なる長さのアップリンク部分を有する、
前記第２のＳＳＦ構成のアップリンク部分中で送信される基準信号に基づいて、前記１つまたは複数の他のＵＥによって引き起こされる干渉を測定するための手段と
を備える、装置。
【請求項１４】
前記第１および第２のＳＳＦ構成は、異なるＵＥが、他のＵＥによって引き起こされる干渉を測定することを可能にするために周期的に変更される、請求項１３に記載の装置。
【請求項１５】
実行されると、請求項１〜５または６〜９のうちの一項に記載の方法を、少なくとも１つのコンピュータに行わせるための実行可能命令を備えるコンピュータプログラム。
【手続補正２】
【補正対象書類名】明細書
【補正対象項目名】００７４
【補正方法】変更
【補正の内容】
【００７４】
[0086]以上の説明は、当業者が本明細書で説明した様々な態様を実施することができるようにするために提供したものである。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
基地局（ＢＳ）によるワイヤレス通信のための方法であって、
前記基地局のための第１のサブフレーム構成と、１つまたは複数の他の基地局のための第２のサブフレーム構成とを決定することと、ここにおいて、前記第１のサブフレーム構成と前記第２のサブフレーム構成とがアップリンク部分とダウンリンク部分との異なる比を有する、
前記第２のサブフレーム構成のダウンリンク部分中で送信される基準信号に基づいて、前記１つまたは複数の他の基地局によって引き起こされる干渉を測定することとを備える、方法。
［Ｃ２］
前記第１および第２のサブフレーム構成は、異なる基地局が、他の基地局によって引き起こされる干渉を測定することを可能にするために周期的に変更される、Ｃ１に記載の方法。
［Ｃ３］
前記第１および第２のサブフレーム構成を前記１つまたは複数の他の基地局と交換することをさらに備える、Ｃ１に記載の方法。
［Ｃ４］
基準信号測定値を前記１つまたは複数の他の基地局と交換することをさらに備える、Ｃ１に記載の方法。
［Ｃ５］
前記第１および第２のサブフレーム構成がスペシャルサブフレーム（ＳＳＦ）構成を備える、Ｃ１に記載の方法。
［Ｃ６］
ユーザ機器（ＵＥ）によるワイヤレス通信のための方法であって、
前記ＵＥのための第１のスペシャルサブフレーム（ＳＳＦ）構成と、１つまたは複数の他のＵＥのための第２のＳＳＦ構成とを決定することと、ここにおいて、前記第１のＳＳＦ構成と前記第２のＳＳＦ構成とが異なる長さのアップリンク部分を有する、
前記第２のＳＳＦ構成のアップリンク部分中で送信される基準信号に基づいて、前記１つまたは複数の他のＵＥによって引き起こされる干渉を測定することと
を備える、方法。
［Ｃ７］
前記第１および第２のＳＳＦ構成は、異なるＵＥが、他のＵＥによって引き起こされる干渉を測定することを可能にするために周期的に変更される、Ｃ６に記載の方法。
［Ｃ８］
基地局から前記第１および第２のＳＳＦ構成のシグナリングを受信することをさらに備える、Ｃ６に記載の方法。
［Ｃ９］
１つまたは複数の他の基地局に測定値を報告することをさらに備える、Ｃ６に記載の方法。
［Ｃ１０］
基地局（ＢＳ）によるワイヤレス通信のための装置であって、
前記基地局のための第１のサブフレーム構成と、１つまたは複数の他の基地局のための第２のサブフレーム構成とを決定するための手段と、ここにおいて、前記第１のサブフレーム構成と前記第２のサブフレーム構成とがアップリンク部分とダウンリンク部分との異なる比を有する、
前記第２のサブフレーム構成のダウンリンク部分中で送信される基準信号に基づいて、前記１つまたは複数の他の基地局によって引き起こされる干渉を測定するための手段とを備える、装置。
［Ｃ１１］
前記第１および第２のサブフレーム構成は、異なる基地局が、他の基地局によって引き起こされる干渉を測定することを可能にするために周期的に変更される、Ｃ１０に記載の装置。
［Ｃ１２］
前記第１および第２のサブフレーム構成を前記１つまたは複数の他の基地局と交換するための手段をさらに備える、Ｃ１０に記載の装置。
［Ｃ１３］
基準信号測定値を前記１つまたは複数の他の基地局と交換するための手段をさらに備える、Ｃ１０に記載の装置。
［Ｃ１４］
前記第１および第２のサブフレーム構成がスペシャルサブフレーム（ＳＳＦ）構成を備える、Ｃ１０に記載の装置。
［Ｃ１５］
ユーザ機器（ＵＥ）によるワイヤレス通信のための装置であって、
前記ＵＥのための第１のスペシャルサブフレーム（ＳＳＦ）構成と、１つまたは複数の他のＵＥのための第２のＳＳＦ構成とを決定するための手段と、ここにおいて、前記第１のＳＳＦ構成と前記第２のＳＳＦ構成とが異なる長さのアップリンク部分を有する、
前記第２のＳＳＦ構成のアップリンク部分中で送信される基準信号に基づいて、前記１つまたは複数の他のＵＥによって引き起こされる干渉を測定するための手段とを備える、装置。
［Ｃ１６］
前記第１および第２のＳＳＦ構成は、異なるＵＥが、他のＵＥによって引き起こされる干渉を測定することを可能にするために周期的に変更される、Ｃ１５に記載の装置。
［Ｃ１７］
基地局から前記第１および第２のＳＳＦ構成のシグナリングを受信するための手段をさらに備える、Ｃ１５に記載の装置。
［Ｃ１８］
１つまたは複数の他の基地局に測定値を報告するための手段をさらに備える、Ｃ１５に記載の装置。